【手続補正書】
【提出日】平成20年5月29日(2008.5.29)
【手続補正１】
【補正対象書類名】特許請求の範囲
【補正対象項目名】全文
【補正方法】変更
【補正の内容】
【特許請求の範囲】
【請求項１】
洗浄ウェルと、
廃棄物カップと、
プローブ洗浄カップの開放端部と洗浄ウェルの入口平面との間に配設され、そこでプローブを受け取るための開口部を有する、洗浄ウェルと整列された第１のチャネルを含んだ乾燥区間とを含む、プローブ洗浄カップ。
【請求項２】
乾燥区間が廃棄物カップと洗浄ウェルとの間に連通的に結合された、請求項１に記載のプローブ洗浄カップ。
【請求項３】
乾燥区間および洗浄ウェルが廃棄物カップと同軸である、請求項１に記載のプローブ洗浄カップ。
【請求項４】
第１のチャネルからプローブ洗浄カップの外部まで延在する少なくとも１つの第２のチャネルをさらに含む、請求項１に記載のプローブ洗浄カップ。
【請求項５】
少なくとも第２のチャネルが真空系に接続された、請求項４に記載のプローブ洗浄カップ。
【請求項６】
廃棄物カップおよび洗浄ウェルの少なくとも一方が選択的にドレン可能である、請求項１に記載のプローブ洗浄カップ。
【請求項７】
乾燥区間、廃棄物カップおよび洗浄ウェルに選択的に接続されるマニホルドをさらに含む、請求項１に記載のプローブ洗浄カップ。
【請求項８】
マニホルドが真空系に接続可能である、請求項７に記載のプローブ洗浄カップ。
【請求項９】
プローブ洗浄カップの開放端部内に凹状になっているオーバーフロー区間をさらに含む、請求項１に記載のプローブ洗浄カップ。
【請求項１０】
廃棄物カップおよび乾燥区間が、オーバーフロー区間に開放されている、請求項９に記載のプローブ洗浄カップ。
【請求項１１】
プローブ洗浄カップの第１の弁を介して乾燥区間に選択的に接続され、プローブ洗浄カップの第２の弁を介して廃棄物カップに選択的に接続され、洗浄カップの第３の弁を介して洗浄ウェルに選択的に接続され、洗浄カップの外部に開放された開口部を有するマニホルドをさらに含む、請求項１に記載のプローブ洗浄カップ。
【請求項１２】
第１、第２および第３の弁の少なくとも１つが電気的に起動可能である、請求項１１に記載のプローブ洗浄カップ。
【請求項１３】
プローブ洗浄カップであって、
洗浄ウェルと、
洗浄ウェルと同軸である廃棄物カップと、
プローブ洗浄カップの開放端部と洗浄ウェルの入口平面との間に配設され、廃棄物カップと同軸であるとともに洗浄ウェルと整列された第１のチャネルと、第１のチャネルと廃棄物カップとの間に配設され、第１のチャネルおよび廃棄物カップと同軸であるとともに廃棄物カップと連通する第２のチャネルと、第１のチャネルの出口平面と洗浄ウェルの入口平面との間に配設され、第１のチャネルおよび洗浄ウェルを第２のチャネルに連通的に結合させ、これにより廃棄物カップに連通的に結合させる空隙とを含んだ乾燥区間と、
第１のチャネルからプローブ洗浄カップの外部まで半径方向に延在する少なくとも１つの第３のチャネルとを含む、プローブ洗浄カップ。
【請求項１４】
廃棄物カップに結合された第１のドレンおよび洗浄ウェルに結合された第２のドレンの少なくとも１つをさらに含む、請求項１３に記載のプローブ洗浄カップ。
【請求項１５】
少なくとも１つの第３のチャネルが真空系に接続可能である、請求項１３に記載のプローブ洗浄カップ。
【請求項１６】
医療分析器であって、
医療分析器内で物質を運ぶ中空プローブと、
洗浄ウェル、廃棄物カップ、および洗浄カップ開放端部と洗浄ウェルの入口平面との間に配設され、そこでプローブを受け取る開口部を有する、洗浄ウェルと整列された第１のチャネルを含む乾燥区間を備えるプローブを洗浄するための洗浄カップと、
医療分析器の動作を制御するコントローラとを含む、医療分析器。
【請求項１７】
乾燥区間、廃棄物カップおよび洗浄ウェルの少なくとも１つが医療分析器の真空系に接続可能である、請求項１６に記載の医療分析器。
【請求項１８】
第１のチャネルと廃棄物カップとの間に配設され、廃棄物カップと連通する第２のチャネルと、
第１のチャネルの出口平面との洗浄ウェルの入口平面との間に配設され、第１のチャネルおよび洗浄ウェルを第２のチャネルに連通的に結合させ、これにより廃棄物カップに連通的に結合させる空隙と、
第１のチャネルから洗浄カップの外部まで半径方向に延在する少なくとも１つの第３のチャネルとをさらに含む、請求項１６に記載の医療分析器。
【請求項１９】
プローブ洗浄カップの第１の弁を介して乾燥区間に選択的に接続され、プローブ洗浄カップの第２の弁を介して廃棄物カップに選択的に接続され、プローブ洗浄カップの第３の弁を介して洗浄ウェルに選択的に接続され、洗浄カップの外部に開放された開口部を有するマニホルドをさらに含む、請求項１６に記載の医療分析器。
【請求項２０】
マニホルドが医療分析器の真空系に接続された、請求項１９に記載の医療分析器。
【請求項２１】
コントローラが第１、第２および第３の弁を起動するようになされた、請求項１９に記載の医療分析器。
【請求項２２】
中空プローブを洗浄する方法であって、
洗浄剤を含んだプローブ洗浄カップの洗浄ウェル内にプローブのある長さを挿入する工程と、
洗浄ウェルからプローブ内に洗浄剤を引き込む工程と、
付加的な洗浄剤をプローブを通して洗浄ウェル内に流し込む工程と、
洗浄ウェルからプローブを引き出す工程と、
洗浄ウェルからプローブを引き出しながら、プローブの外部の上にプローブの外部を乾燥させるように働く強制空気を導く工程とを含む、方法。
【請求項２３】
プローブを洗浄ウェル内に挿入する前に、プローブ内に空気を引き込む工程をさらに含む、請求項２２に記載の方法。
【請求項２４】
付加的な洗浄剤をプローブを通して洗浄ウェル内に流し込む間に、洗浄ウェルから洗浄剤の一部をドレンする工程をさらに含む、請求項２２に記載の方法。
【請求項２５】
付加的な洗浄剤を用いて洗浄ウェルを充填する工程をさらに含む、請求項２４に記載の方法。
【請求項２６】
プローブを洗浄ウェルに挿入する前に、洗浄剤をプローブに流す工程をさらに含む、請求項２２に記載の方法。
【請求項２７】
プローブを洗浄ウェルに挿入する速度が、プローブを洗浄ウェルから引き出す速度よりも速い、請求項２２に記載の方法。
【請求項２８】
プローブを洗浄ウェルに挿入する前に、プローブを洗浄剤で充填する工程をさらに含む、請求項２２に記載の方法。
【請求項２９】
付加的な洗浄剤をプローブを通して洗浄ウェル内に流し込む工程が、洗浄ウェルの容積よりも大きいある体積の付加的な洗浄剤を、プローブを通して洗浄ウェル内に流し込む工程をさらに含む、請求項２２に記載の方法。
【請求項３０】
付加的な洗浄剤をプローブを通して洗浄ウェル内に流し込む工程が、洗浄ウェルから引き出された洗浄剤をプローブ内に排出する、請求項２２に記載の方法。
【請求項３１】
付加的な洗浄剤をプローブを通して洗浄ウェル内に流し込む前に、洗浄ウェルからプローブ内に引き込まれた洗浄剤の少なくとも一部を、プローブから洗浄ウェル内に排出する工程をさらに含む、請求項２２に記載の方法。
【請求項３２】
プローブを引き出しながら、付加的な洗浄剤をプローブを通して洗浄ウェル内に流し込ませ続ける工程をさらに含む、請求項２２に記載の方法。
【請求項３３】
付加的な洗浄剤をプローブを通して洗浄ウェル内に流し込む前に、洗浄ウェル内でプローブを発振させる工程をさらに含む、請求項２２に記載の方法。
【請求項３４】
付加的な洗浄剤をプローブを通して洗浄ウェル内に流し込む前に、洗浄ウェル内に含まれた洗浄液を、そこに挿入されたプローブを用いて励振させる工程をさらに含む、請求項２２に記載の方法。
【請求項３５】
中空プローブを洗浄する方法であって、
プローブをプローブ洗浄カップの廃棄物カップと整列させる工程と、
洗浄剤をプローブを通して廃棄物カップ内に流し込んで、プローブ内の物質を廃棄物カップ内に排出する工程と、
プローブを通る洗浄剤の流れを停止させる工程であり、流れを停止させたときにプローブは洗浄剤で充填されているような工程と、
プローブのある長さを洗浄剤を含んだ洗浄ウェルに挿入する工程と、
洗浄剤を洗浄ウェルからプローブ内に引き込む工程と、
付加的な洗浄剤をプローブを通して洗浄ウェル内に流し込む工程と、
プローブを洗浄ウェルから引き出す工程と、
乾燥区間において、洗浄ウェルからプローブを引き出しながら、プローブの外部を乾燥させるように働く強制空気をプローブの外部の上に導く工程とを含む、方法。
【請求項３６】
プローブを廃棄物カップと整列させる工程が、プローブの先端を、乾燥区間の入口平面とプローブ洗浄カップの開放端部との間にある、廃棄物カップの上の高さに位置決めする工程をさらに含む、請求項３５に記載の方法。
【請求項３７】
廃棄物カップからプローブ洗浄カップの乾燥区間の上の位置までプローブを移動させる工程が、廃棄物カップから乾燥区間の上の位置までプローブを移動させる間に、プローブ洗浄カップの開放端部から固定された距離にプローブの先端部を維持する工程を含む、請求項３６に記載の方法。
【請求項３８】
洗浄剤で充填されたプローブを廃棄物カップから乾燥区間の上の位置まで移動させる間に、プローブ内に空気を引き込む工程をさらに含む、請求項３５に記載の方法。
【請求項３９】
付加的な洗浄剤をプローブを通して洗浄ウェル内に流し込みながら、洗浄剤を洗浄ウェルからドレンする工程をさらに含む、請求項３５に記載の方法。
【請求項４０】
プローブを洗浄ウェルから引き出しながら、付加的な洗浄剤を用いて洗浄ウェルを充填する工程をさらに含む、請求項３５に記載の方法。
【請求項４１】
乾燥区間においてプローブの外部の上に強制空気を導く工程が、乾燥区間に真空を印加することによって達成される、請求項３５に記載の方法。
【請求項４２】
洗浄ウェルから乾燥区間内に洗浄剤を引き込み、プローブを洗浄ウェルから引き出しながら洗浄カップから洗浄剤を引き出す工程をさらに含む、請求項３５に記載の方法。
【請求項４３】
洗浄剤を洗浄ウェルからプローブ内に引き込む工程が、プローブが使用されているときに物質がプローブ内に引き込まれるのとほぼ同じ速度で洗浄剤を洗浄ウェルからプローブ内に引き込む工程をさらに含む、請求項３５に記載の方法。
【請求項４４】
付加的な洗浄剤をプローブを通して洗浄ウェル内に流し込む工程が、洗浄ウェルから引き込まれた洗浄剤をプローブ内に排出する、請求項３５に記載の方法。
【請求項４５】
付加的な洗浄剤をプローブを通して洗浄ウェル内に流し込む前に、洗浄ウェルからプローブに引き込まれた洗浄剤の少なくとも一部をプローブから洗浄ウェル内に排出する工程をさらに含む、請求項３５に記載の方法。
【請求項４６】
プローブを引き出す間に、付加的な洗浄剤をプローブを通して洗浄ウェル内に流し込み続ける工程をさらに含む、請求項３５に記載の方法。